(57)【要約】      （修正有）【課題】  ＨＤＭＩケーブルを接続した際に、外部からの衝撃からＨＤＭＩケーブルを保護できケーブルを接続した状態でのぐらつきを低減でき、上側及び横側からの衝撃に強い。【解決手段】  ＡＶ機器のリヤパネル１の外面におけるＨＤＭＩ出力端子２の両側に外向きに突出する左右一対のケーブル保護壁フォルダー３、４がビス５で取付固定され、一方側のケーブル保護壁フォルダーの先端面側にケーブル固定フォルダー９が上下回動可能にビス１０で枢着され、ケーブル固定フォルダーの下端略中央部にケーブル挿入溝９ａが上向きに設けられ、ケーブル挿入溝にはケーブル７を挿入して上側に移動したときに下向きに移動することを阻止してこのケーブルを位置決め固定するための左右一対の係止爪９ｂ、９ｂが内向きに突設されていて、他方側のケーブル保護壁フォルダーの先端面にケーブル固定フォルダーに形成された係入孔９ｃに係入される係止突起４ｃが突設されている。【選択図】  図１
2007141700.tif 000002
【特許請求の範囲】
【請求項１】
ＡＶ機器のリヤパネル側に設けられたＨＤＭＩ出力端子にＨＤＭＩケーブルの接続端子を接続して固定するようにしたＨＤＭＩケーブルの固定構造において、前記ＡＶ機器のリヤパネルの外面における前記ＨＤＭＩ出力端子の両側に外向きに突出する左右一対のケーブル保護壁フォルダーがビスで取付固定され、一方側のケーブル保護壁フォルダーの先端面側にケーブル固定フォルダーが上下回動可能にビスで枢着されており、前記ケーブル固定フォルダーの下端略中央部にケーブル挿入溝が上向きに設けられ、このケーブル挿入溝にはケーブルを挿入して上側に移動したときに下向きに移動することを阻止してこのケーブルを位置決め固定するための左右一対の係止爪が内向きに突設されていて、他方側のケーブル保護壁フォルダーの先端面に前記ケーブル固定フォルダーに形成された係入孔に係入される係止突起が突設されていることを特徴とするＨＤＭＩケーブルの固定構造。
【請求項２】
ＡＶ機器のリヤパネル側に設けられたＨＤＭＩ出力端子にＨＤＭＩケーブルの接続端子を接続して固定するようにしたＨＤＭＩケーブルの固定構造において、前記ＡＶ機器のリヤパネルの外面における前記ＨＤＭＩ出力端子の両側に外向きに突出する左右一対のケーブル保護フォルダーが取付固定され、一方側のケーブル保護壁フォルダーの先端面にケーブル固定フォルダーが上下回動可能に枢着されており、前記ケーブル固定フォルダーの下端略中央部にケーブル挿入溝が上向きに設けられ、このケーブル挿入溝にはケーブルを挿入して上側に移動したときに下向きに移動することを阻止してこのケーブルを位置決め固定するための固定手段が設けられ、他方側のケーブル保護壁フォルダーの先端面と前記ケーブル固定フォルダーとに前記ケーブル固定フォルダーの回動を阻止するための回動阻止手段が設けられていることを特徴とするＨＤＭＩケーブルの固定構造。
【請求項３】
前記固定手段は、前記ケーブル挿入溝の上端から横向きに延設され若干下がった固定用溝部で構成されている請求項２に記載のＨＤＭＩケーブルの固定構造。
【請求項４】
前記回動阻止手段は、前記他方側のケーブル保護壁フォルダーの先端面に形成された係入孔と、前記ケーブル固定フォルダーの他方側に裏向きに突設され、前記係入孔に係入される係入用突出部とで構成されている請求項２又は３に記載のＨＤＭＩケーブルの固定構造。
【発明の詳細な説明】
【技術分野】
【０００１】
本発明は、ＡＶ機器のリヤパネル側に設けられたＨＤＭＩ出力端子にＨＤＭＩケーブルの接続端子を接続して固定するようにしたＨＤＭＩケーブルの固定構造に関するものである。
【背景技術】
【０００２】
従来、ＡＶ機器に設けられたＨＤＭＩ出力端子にＨＤＭＩケーブルを接続した状態では、ＨＤＭＩケーブルの固定が不安定であり、外部からの衝撃に弱く、このために、外部からの衝撃を受けると、ケーブルが接触不良を起こしたり、ＡＶ機器のＨＤＭＩ出力端子やＨＤＭＩケーブルの接続端子が破壊される虞があるという問題があった。
【０００３】
第１の従来技術を図３に示す。この従来の入出力ケーブルの固定構造は、図３に示すように、プレーヤの接続用端子部１０９に設けたコネクタ１０８に入出力ケーブル１０６のプラグ１２６を差し込み接続していない状態ではこの接続用端子部１０９を閉じることができるカバー体１１１、１１４を、その下端部を支点として開くことができるように電気機器の本体ケース１０２に取り付け、開いたときに上面となるカバー体１１４の面部１２５に、入出力ケーブル１０６をプラグ１２６の近傍で係止させる係合片１２４を設けている。（例えば、特許文献１参照）。
【０００４】
ところが、これにおいては、入出力ケーブル１０６が係合片１２４で係止されているだけであり、プラグ１２６に対する上側や横側からの衝撃に弱いという問題があった。
【０００５】
第２の従来技術を図４（ａ）（ｂ）に示す。この従来の電気機器用コネクタブラケットは、図４（ａ）（ｂ）に示すように、コネクタブラケット２０２に接続された線材２０３ａ、２０３ｂを線材引出し具２０６を介して所望の方向に引き出せるようにし、この線材引出し具２０６はつめ２０５によってＶＴＲ本体２０１に係止されて装着されている。（例えば、特許文献２参照）。
【０００６】
ところが、これにおいては、つめ２０５によって線材引出し具２０６がＶＴＲ本体２０１に装着されているだけなので、外部からの衝撃に弱いという問題があった。
【特許文献１】実開平６−３０９９７号公報
【特許文献２】実開平２−１４９１９７号公報
【発明の開示】
【発明が解決しようとする課題】
【０００７】
本発明は、上記従来の問題に鑑みてなされたものであって、ＨＤＭＩケーブルを接続した際に、外部からの衝撃からＨＤＭＩケーブルを保護することができ、ケーブルを接続した状態でのぐらつきを低減することができ、ケーブルと接続端子の両方を保護することができて、上側からの衝撃や横側からの衝撃に強い構造にすることができるＨＤＭＩケーブルの固定構造を提供することを目的としている。
【課題を解決するための手段】
【０００８】
本発明は、上記課題を解決するために提案されたものであって、請求項１に記載の発明は、ＡＶ機器のリヤパネル側に設けられたＨＤＭＩ出力端子にＨＤＭＩケーブルの接続端子を接続して固定するようにしたＨＤＭＩケーブルの固定構造において、前記ＡＶ機器のリヤパネルの外面における前記ＨＤＭＩ出力端子の両側に外向きに突出する左右一対のケーブル保護壁フォルダーがビスで取付固定され、一方側のケーブル保護壁フォルダーの先端面側にケーブル固定フォルダーが上下回動可能にビスで枢着されており、前記ケーブル固定フォルダーの下端略中央部にケーブル挿入溝が上向きに設けられ、このケーブル挿入溝にはケーブルを挿入して上側に移動したときに下向きに移動することを阻止してこのケーブルを位置決め固定するための左右一対の係止爪が内向きに突設されていて、他方側のケーブル保護壁フォルダーの先端面に前記ケーブル固定フォルダーに形成された係入孔に係入される係止突起が突設されていることを特徴としている。
【０００９】
請求項２に記載の発明は、ＡＶ機器のリヤパネル側に設けられたＨＤＭＩ出力端子にＨＤＭＩケーブルの接続端子を接続して固定するようにしたＨＤＭＩケーブルの固定構造において、前記ＡＶ機器のリヤパネルの外面における前記ＨＤＭＩ出力端子の両側に外向きに突出する左右一対のケーブル保護フォルダーが取付固定され、一方側のケーブル保護壁フォルダーの先端面にケーブル固定フォルダーが上下回動可能に枢着されており、前記ケーブル固定フォルダーの下端略中央部にケーブル挿入溝が上向きに設けられ、このケーブル挿入溝にはケーブルを挿入して上側に移動したときに下向きに移動することを阻止してこのケーブルを位置決め固定するための固定手段が設けられ、他方側のケーブル保護壁フォルダーの先端面と前記ケーブル固定フォルダーとに前記ケーブル固定フォルダーの回動を阻止するための回動阻止手段が設けられていることを特徴としている。
【００１０】
請求項３に記載の発明は、請求項２に記載の発明において、前記固定手段は、前記ケーブル挿入溝の上端から横向きに延設され若干下がった固定用溝部で構成されている。
【００１１】
請求項４に記載の発明は、請求項２又は３に記載の発明において、前記回動阻止手段は、前記他方側のケーブル保護壁フォルダーの先端面に形成された係入孔と、前記ケーブル固定フォルダーの他方側に裏向きに突設され、前記係入孔に係入される係入用突出部とで構成されている。
【発明の効果】
【００１２】
請求項１に記載の発明によれば、左右一対のケーブル保護壁フォルダーによってＨＤＭＩケーブルの接続端子を保護することができ、上側及び横側からの外部の衝撃に対してこの接続端子のぐらつきを低減することができる。また、ケーブルがケーブル固定フォルダーによって位置決め固定されるので、このケーブルとケーブルの接続端子の両方を保護することができる。更に、左右一対の係止爪によってケーブルが係止されてケーブルの移動を阻止することができ、ケーブルを固定することができる。しかも、係止突起の係入孔への係入によって、ケーブル固定フォルダーを固定することができるとともに、ケーブル固定フォルダーを開閉自在にすることができ、ケーブルを固定したり固定状態を解除したりすることを簡単に行うことができる。
【００１３】
請求項２に記載の発明によれば、左右一対のケーブル保護壁フォルダーによってＨＤＭＩケーブルの接続端子を保護することができ、上側及び横側からの外部の衝撃に対してこの接続端子のぐらつきを低減することができる。また、ケーブルがケーブル固定フォルダーによって位置決め固定されるので、このケーブルとケーブルの接続端子の両方を保護することができる。また、固定手段によってケーブルを位置決め固定することができ、ケーブルの移動を阻止することができる。しかも、回動阻止手段によって、ケーブル固定フォルダーの回動を阻止することができて、ケーブルを安定した状態で保護することができる。
【００１４】
請求項３に記載の発明によれば、固定用溝部からなる固定手段によってケーブルを位置決め固定することができて、ケーブルがずれることを防止することができる。
【００１５】
請求項４に記載の発明によれば、回動阻止手段が、係入孔と係入用突出部で構成されているから、その構造を簡単化することができ、この係入孔への係入用突出部の係入によって、ケーブル固定フォルダーの固定を容易に行うことができる。
【発明を実施するための最良の形態】
【００１６】
以下、本発明に係るＨＤＭＩケーブルの固定構造の実施の形態について、図を参照しつつ説明する。
【００１７】
図１は第１実施形態のＨＤＭＩケーブルの固定構造を示し、（ａ）はその一部断面した平面図、（ｂ）はそのケーブル固定フォルダーによるケーブルの固定状態を示す斜視図、（ｃ）はその要部の部分斜視図である。
【００１８】
この第１実施形態のＨＤＭＩケーブルの固定構造は、図１（ａ）（ｂ）（ｃ）に示すように、ＡＶ機器のリヤパネル１の外面におけるＨＤＭＩ出力端子２の両側に外向きに突出する四角柱状のブロックからなる左右一対のケーブル保護壁フォルダー３、４がビス５で取付固定されている。ケーブル保護壁フォルダー３、４の軸方向には孔部３ａ、４ａが形成されており、この孔部３ａ、４ａ内にビス５が挿入されて奥壁３ｂ、４ｂがこのビス５でリヤパネル１の外面に取付固定されている。これらのケーブル保護壁フォルダー３、４の間隙６にＨＤＭＩケーブル７の接続端子８が配置されるようになっており、この接続端子８がＨＤＭＩ出力端子２に接続されるようになっている。更に、一方側のケーブル保護壁フォルダー３の先端に板状のケーブル固定フォルダー９がビス１０で矢印方向に上下回動可能に枢着されている。このケーブル固定フォルダー９の下端略中央部に上向きにケーブル挿入溝９ａが設けられ、このケーブル挿入溝９ａの溝縁には左右一対の係止爪９ｂ、９ｂが内向きに突設されている。ケーブル７がこのケーブル挿入溝９ａに下側から挿入されるとこれらの係止爪９ｂ、９ｂでケーブル７が下向きにずれないように係止されるようになっている。また、他方側のケーブル保護壁フォルダー４の先端面に係止突起４ｃが外向きに突設され、ケーブル固定フォルダー９にはこの係止突起４ｃを係入するための係入孔９ｃが形成されていて、この係入孔９ｃに係止突起４ｃが係入されることによって、ケーブル固定フォルダー９が水平向きに位置決め固定されるようになっている。
【００１９】
従って、この第１実施形態によれば、左右一対のケーブル保護壁フォルダー３、４によってＨＤＭＩケーブル７の接続端子８を保護することができ、上側及び横側からの外部の衝撃に対してこの接続端子８のぐらつきを低減することができる。また、ケーブル７がケーブル固定フォルダー９によって位置決め固定されるので、このケーブル７とケーブル７の接続端子８の両方を保護することができる。更に、左右一対の係止爪９ｂ、９ｂによってケーブル７が係止されてケーブル７の移動を阻止することができ、ケーブル７を固定することができる。しかも、係止突起４ｃの係入孔９ｃへの係入によって、ケーブル固定フォルダー９を固定することができるとともに、ケーブル固定フォルダー９を開閉自在にすることができ、ケーブル７を固定したり固定状態を解除したりすることを簡単に行うことができる。
【００２０】
図２は第２実施形態のＨＤＭＩケーブルの固定構造を示し、（ａ）はその一部断面した平面図、（ｂ）はそのケーブル固定フォルダーによるケーブルの固定状態を示す斜視図である。尚、上記した第１実施形態と同一部材、同一箇所には同一符号を付してその説明を省略する。
【００２１】
この第２実施形態のＨＤＭＩケーブルの固定構造は、図２（ａ）（ｂ）に示すように、ケーブル固定フォルダー９にケーブル挿入溝９ｄの上端から横向きに延設され若干下がった固定用溝部９ｅが形成されている。ケーブル７をケーブル挿入溝９ｄに下側から挿入してから横向きにずらすとこのケーブル７が固定用溝部９ｅに挿入されて移動阻止されて位置決め固定される。また、他方側のケーブル保護壁フォルダー４の先端面に係入孔４ｄが形成され、ケーブル固定フォルダー９の他方側に裏向きに係入用突出部９ｆが突設されている。この係入用突出部９ｆを係入孔４ｄに係入することによって、ケーブル固定フォルダー９が固定される。
【００２２】
この第２実施形態によれば、ケーブル挿入溝９ｄから横向きに延設された固定用溝部９ｅによってケーブル７を位置決め固定することができて、ケーブル７がずれることを防止することができる。また、係入孔４ｄへの係入用突出部９ｆの係入によって、ケーブル固定フォルダー９の固定を容易に行うことができる。更に、その構造を簡単化することができる。
【図面の簡単な説明】
【００２３】
【図１】第１実施形態のＨＤＭＩケーブルの接続構造を示し、（ａ）はその一部断面した平面図、（ｂ）はそのケーブル固定フォルダーによるケーブルの固定状態を示す斜視図、（ｃ）はその要部の部分斜視図である。
【図２】第２実施形態のＨＤＭＩケーブルの接続構造を示し、（ａ）はその一部断面した平面図、（ｂ）はそのケーブル固定フォルダーによるケーブルの固定状態を示す斜視図である。
【図３】従来の電気機器における入出力ケーブルの固定構造を示す斜視図である。
【図４】従来のコネクタブラケットを示し、（ａ）はその車載ＶＴＲの斜視図、（ｂ）は（ａ）におけるＡ−Ａ線断面図である。
【符号の説明】
【００２４】
１        ＡＶ機器のリヤパネル
２        ＨＤＭＩ出力端子
３        ケーブル保護壁フォルダー
３ａ      孔部
３ｂ      奥壁
４        ケーブル保護壁フォルダー
４ａ      孔部
４ｂ      奥壁
４ｃ      係止突起
４ｄ      係入孔
５        ビス
６        間隙
７        ＨＤＭＩケーブル
８        接続端子
９        ケーブル固定フォルダー
９ａ      ケーブル挿入溝
９ｂ      係止爪
９ｃ      係入孔
９ｄ      ケーブル挿入溝
９ｅ      固定用溝部
９ｆ      係入用突出部
１０    ビス
【図１】
2007141700.tif 000003
【図２】
2007141700.tif 000004
【図３】
2007141700.tif 000005
【図４】
2007141700.tif 000006